(57)【要約】【課題】少ない部品点数で、容易に蛇行や片寄り走行を修正することができるキャリアローラスタンドおよびこのキャリアローラスタンドを備えたベルトコンベヤを提供することを目的としている。【解決手段】水平ローラ４と、この水平ローラ４の両側に設けられた傾斜ローラ５を回転自在に支持するキャリアローラスタンド１であって、ベルトコンベヤのベースに固定される固定部３と、この固定部３に支持され、水平ローラ４および傾斜ローラ５をそれぞれ回転自在に支持するキャリアローラスタンド本体２を備え、キャリアローラスタンド本体２が、水平ローラ４の回転軸に平行な軸部２５を有し、固定部３が、軸部２５を軸部の中心軸周りに回転自在に支持するとともに、軸部２５の回転位置を無段階で、あるいは、多段階に固定可能な回転固定手段を備えていることを特徴としている。【選択図】      図１
2016222448.tif 000002
【特許請求の範囲】
【請求項１】
水平ローラと、この水平ローラの両側に設けられた傾斜ローラを回転自在に支持するベルトコンベヤのキャリアローラスタンドであって、
前記ベルトコンベヤのベースに固定される固定部と、この固定部に支持され、前記水平ローラおよび傾斜ローラをそれぞれ回転自在に支持するキャリアローラスタンド本体を備え、
前記キャリアローラスタンド本体が、前記水平ローラの回転軸に平行な軸部を有し、
前記固定部が、前記軸部を軸部の中心軸周りに回転自在に支持するとともに、
前記軸部の回転位置を無段階で、あるいは、多段階に固定可能な回転固定手段を備えていることを特徴とするキャリアローラスタンド。
【請求項２】
軸部は、水平ローラの回転軸と、キャリアローラスタンド本体の回転軸を含む仮想平面が、固定部の固定面となす角度が、９０°から少なくともベルトの進行方向に５°以上倒れた位置まで回転可能に固定部に支持されている請求項１に記載のキャリアローラスタンド。
【請求項３】
請求項１または請求項２に記載のキャリアローラスタンドを備えているベルトコンベヤ。
【発明の詳細な説明】
【技術分野】
【０００１】
本発明は、蛇行防止を目的としたキャリアローラスタンドおよびこのキャリアローラスタンドを備えたベルトコンベヤに関する。
【背景技術】
【０００２】
図４に示すように、包装をしていない塊，粒および粉状の物体（例えば，鉱石，石炭，土砂，砕石、穀類）等のバラ物３００を搬送するベルトコンベヤとして、駆動ローラ（図示せず）と従動ローラ（図示せず）との間に、ベルト２００を下方から支えてベルト２００をトラフ形状に支持するキャリアローラ装置（「３点トラフキャリアローラ」、「３槽トラフキャリアローラ」とも称される）１００を備えるものが一般に用いられている。
すなわち、キャリアローラ装置１００は、ベルト２００を樋状に保形して搬送物であるバラ物３００がベルト２００のサイドから零れ落ちないようにしている。
【０００３】
例えば、キャリアローラ装置１００は、図４に示すように、キャリアローラスタンド１５０と、水平ローラ１１０と、この水平ローラ１１０の両側に設けられた傾斜ローラ（「トラフローラ」ともいう）１２０を備えている。
水平ローラ１１０は、キャリアローラスタンド１５０に立設された２本のセンターブラケット１３０，１３０に回転自在に支持されている。
傾斜ローラ１２０は、サイドブラケット１４０とセンターブラケット１３０に回転自在に支持されている。
【０００４】
また、上記ベルトコンベヤは、一般的にベルト両端部に配置したキャリアローラスタンド１５０を、予め傾斜ローラの上端側が下端側よりベルトの進行方向側になるように傾いた状態にしてベルト両端部を進行方向中心に向かって押圧して、ベルトの蛇行や片寄り走行を抑制することが行われている。
上記のように傾斜ローラの上端側が下端側よりベルトの進行方向側になるように傾いた状態とするには、予め傾斜ローラの上端側が下端側よりベルトの進行方向側になるように傾いた状態となったキャリアローラ装置を用いる方法と、キャリアローラスタンド１５０と、ベルトコンベヤのベース部との間にライナーを介在させることによって傾ける方法がとられている。
【０００５】
しかし、前者の方法の場合、上記のように傾斜角度が一定であるため、傾斜ローラ、水平ローラの摩耗や、ベルトの摩耗等によりベルトの蛇行や片寄り走行が発生すると、直ちにローラの交換やベルトの交換が必要となる。
したがって、メンテナンス頻度が高いという問題がある。
他方、後者の方法の場合、ライナーの厚みを変更することによって傾きを変更することができるが、角度合わせが難しいという問題がある。
【０００６】
一方、ベルトが左右いずれかに蛇行しても、自動的に調芯を行えるようにしたキャリアローラ装置も提案されている（特許文献１）。
すなわち、このキャリアローラ装置は、水平ローラ、傾斜ローラ以外に、左右にガイドローラを備え、ベルトが蛇行や片寄り走行しだして、ベルトの端部がガイドローラに当接すると、キャリアローラスタンドが支持軸を中心に回転する、あるいは、水平ローラや傾斜ローラの回転軸が水平方向に回転することによってベルトが蛇行や片寄り走行を防止するようにしている。
【先行技術文献】
【特許文献】
【０００７】
【特許文献１】特開2003-300609号公報
【発明の概要】
【発明が解決しようとする課題】
【０００８】
しかし、上記特許文献１のような機構では、ベルトコンベヤ部品点数が多くなり、製造コストが嵩むとともに、小型のベルトコンベヤには不向きである。
【０００９】
本発明は、上記事情に鑑みて、少ない部品点数で、容易に蛇行や片寄り走行を修正することができるキャリアローラスタンドおよびこのキャリアローラスタンドを備えたベルトコンベヤを提供することを目的としている。
【課題を解決するための手段】
【００１０】
上記目的を達成するために、本発明にかかるキャリアローラスタンドは、水平ローラと、この水平ローラの両側に設けられた傾斜ローラを回転自在に支持するベルトコンベヤのキャリアローラスタンドであって、前記ベルトコンベヤのベースに固定される固定部と、この固定部に支持され、前記水平ローラおよび傾斜ローラをそれぞれ回転自在に支持するキャリアローラスタンド本体を備え、前記キャリアローラスタンド本体が、前記水平ローラの回転軸に平行な軸部を有し、前記固定部が、前記軸部を軸部の中心軸周りに回転自在に支持するとともに、前記軸部の回転位置を無段階で、あるいは、多段階に固定可能な回転固定手段を備えていることを特徴としている。
【００１１】
また、本発明にかかるベルトコンベヤは、上記本発明のキャリアローラ装置を備えていることを特徴としている。
【００１２】
本発明において、軸部は、特に限定されないが、水平ローラの回転軸と、キャリアローラスタンド本体の回転軸を含む仮想平面が、固定部の固定面となす角度が、９０°から少なくともベルトの進行方向に５°以上倒れた位置まで回転可能に固定部に支持されていることが好ましく、０°まで倒れるようにしても構わないが、蛇行修正が可能な範囲、例えば、１０°以下までしか倒れないようにしても構わない。
回転固定手段としては、固定を解除して軸部を回転可能にできるとともに、所望の回転位置で固定可能であれば特に限定されない。
【発明の効果】
【００１３】
本発明にかかるキャリアローラ装置は、上記のように、水平ローラと、この水平ローラの両側に設けられた傾斜ローラを回転自在に支持するベルトコンベヤのキャリアローラスタンドであって、前記ベルトコンベヤのベースに固定される固定部と、この固定部に支持され、前記水平ローラおよび傾斜ローラをそれぞれ回転自在に支持するキャリアローラスタンド本体を備え、前記キャリアローラスタンド本体が、前記水平ローラの回転軸に平行な軸部を有し、前記固定部が、前記軸部を軸部の中心軸周りに回転自在に支持するとともに、前記軸部の回転位置を無段階で、あるいは、多段階に固定可能な回転固定手段を備えているので、ベルトが蛇行あるいは片寄り走行しはじめたときは、回転固定手段を操作して、軸部の固定を解除し、ベルトが蛇行あるいは片寄り走行しない姿勢となるように、軸部を中心にキャリアローラスタンド本体を回転させる。すなわち、回転によって、ベルトと、傾斜ローラとの接触位置が変わる。そして、その位置で回転固定手段を操作して、軸部を回転しないように固定することによって、ベルトが蛇行あるいは片寄り走行しないようにすることができる。
【００１４】
しかも、このキャリアローラスタンドは、キャリアローラスタンド本体の軸部を固定部に回転自在に支持するとともに、回転固定手段を用いて回転可能状態と、固定状態とを選択することができるという簡単な機構であるので、コストがあまりかからず、大型化することもない。
【００１５】
また、本発明のキャリアローラスタンドを備えたベルトコンベヤは、ベルトの蛇行や片寄りが生じた場合に、キャリアローラスタンド本体を回転させるだけで、支持された傾斜ローラとベルトとの接触位置を変更することができる。すなわち、キャリアローラスタンド本体を回転させるだけで、蛇行や片寄りのない状態に調整することができるため、メンテナンスコストを低減できる。
【図面の簡単な説明】
【００１６】
【図１】本発明にかかるキャリアローラスタンドを備えたキャリアローラ装置の１つの実施の形態をあらわす正面図である。
【図２】図１のキャリアローラ装置の側面図である。
【図３】図１のキャリアローラ装置のキャリアローラスタンド本体が軸部を中心に回転する状態を説明する図である。
【図４】従来のベルトコンベアのキャリアローラ装置部分の断面図である。
【発明を実施するための形態】
【００１７】
以下に、本発明にかかるキャリアローラスタンドを備えたキャリアローラ装置の実施の形態を、図を参照しつつ説明する。
図１〜図３は、本発明にかかるスタンドを備えたキャリアローラキャリアローラ装置の１つの実施の形態をあらわしている。
【００１８】
図１〜図３に示すように、このキャリアローラ装置Ａは、キャリアローラスタンド１と、水平ローラ４と、２つの傾斜ローラ５を備えている。
キャリアローラスタンド１は、キャリアローラスタンド本体２と、固定部３を備えている。
【００１９】
キャリアローラスタンド本体２は、軸部２５と、２つのセンターブラケット２３と、２つのサイドブラケット２４を備えている。
軸部２５は、ステンレス鋼管、亜鉛メッキ鋼管などの金属パイプで形成されている。
【００２０】
２つセンターブラケット２３は、下端が軸部２５に溶接固定あるいはねじ固定されていて、水平ローラ４の回転軸を回転自在に支持するようになっている。
サイドブラケット２４は、センターブラケット２３との間で傾斜ローラ５を水平ローラ４に対し所定の傾斜角度（例えば、２０〜４５°）に傾くように保持した状態で回転自在に支持できるようになっている。
【００２１】
固定部３は、ベース固定部３５と回転固定手段としてのクランプ部３ａを備えている。
ベース固定部３５は、コンベヤ本体のベースＢに固定されるようになっている。
【００２２】
クランプ部３ａ、固定側クランプ部３１と、可動側クランプ部３２と、デンデンボルト３３と、ナット３４を備えている。
固定側クランプ部３１は、ベース固定部３５に固定されるとともに、内周面が軸部２５の外周面に沿う半円弧状をした第１挟持部３１ａを有するとともに、デンデンボルト３３の端部が回動自在に支持されている。
【００２３】
可動側クランプ部３２は、内周面が軸部２５の外周面に沿う半円弧状をした第２挟持部３２ａを有するとともに、固定側クランプ部３１に設けられた枢支軸３２ｇを介して第２挟持部３２ａが第１挟持部３１ａと離接するように固定側クランプ部３１に枢支されている。
また、可動側クランプ部３２は、図示されていないが、開放端（枢支軸３２ｇとは反対側の端部）にデンデンボルト３３のねじ部が入り込む略Ｕ字形をした切欠溝（図示せず）を備えている。
【００２４】
そして、可動側クランプ部３２は、以下のようにして、固定クランプ部３ａとの間で軸部２５挟み込むとともに、デンデンボルト３３の先端部が上記切欠溝に嵌り込んだ状態で、ナット３４をデンデンボルト３３の先端部にねじ込み、ワッシャ（図示せず）を切欠溝の両側に圧接状態とすることによって、第１挟持部３１ａおよび第２挟持部３２ａが軸部２５の周囲に圧接される。
【００２５】
すなわち、軸部２５が回転しないように固定される。また、ナット３４の締め込みを弛め、第１挟持部３１ａおよび第２挟持部３２ａの軸部２５への圧接を解除することによって軸部２５が軸部２５の中心軸周りに回転可能になり、それに伴い、キャリアローラスタンド本体２全体が水平ローラ４の回転軸と、軸部２５の回転軸を含む仮想平面Ｓと、固定部３の固定面であるベースＢの上面Ｂ１とのなす角度が、図２に示すように、９０°となる位置から、図３に示すように、ベルトの進行方向の前後に倒れるように軸部２５を中心に回転するようになっている。
そして、所望の回転位置まできたら、ナット３４を締め込むことによって、その回転位置で固定できるようになっている。
【００２６】
このキャリアローラスタンド１は、上記のように構成されているので、ベルトコンベヤのベルトに蛇行や片寄りが生じた場合、軸部２５が回転可能になるまでナット３４を弛めたのち、軸部２５を中心にキャリアローラスタンド本体２を回転させて傾斜ローラ５のベルトに当たる位置を変更して、蛇行や片寄りのないようにすることができる。
【００２７】
本発明は、上記の実施の形態に限定されない。例えば、上記の実施の形態では、円筒であったが、丸棒であってもよい。
上記の実施の形態では、無段階に角度を変更できるようになっていたが、例えば、１°毎に間欠的に変更できるようになっていてもよい。
【００２８】
また、上記の実施の形態では、ナットの解締によって、軸部を回転可能あるいは固定状態にすることができるようになっていたが、軸部の端部にギアを設けるとともに、このギアと、ロックねじなどの回転固定手段を備えた回転操作ハンドルを１枚あるいは複数枚のギアを介して連結し、回転操作ハンドを回転させることによって、軸部２５を回転にできるようにしても構わない。
また、上記ハンドル位置によって、軸部の回転位置、すなわち、仮想平面の傾斜角度を視認できるような目盛りを設けるようにしても構わない。
【符号の説明】
【００２９】
Ａ  キャリアローラ装置
１  キャリアローラスタンド
２  キャリアローラスタンド本体
２３  センターブラケット
２４  サイドブラケット
２５  軸部
３  固定部
３ａ  クランプ部
３１  固定側クランプ部
３１ａ  第１挟持部
３２  可動側クランプ部
３２ａ  第２挟持部
３３  デンデンボルト
３４  ナット
３５  ベース固定部
３６  枢支軸
４  水平ローラ
５  傾斜ローラ
Ｂ  ベース
Ｂ１  固定面
Ｓ  仮想平面
【図１】
2016222448.tif 000003
【図２】
2016222448.tif 000004
【図３】
2016222448.tif 000005
【図４】
2016222448.tif 000006